(57)【特許請求の範囲】
【請求項１】
車両に搭載されセンターに対して緊急発信を行う緊急通報システム端末装置であって、
緊急通報発信釦に対して２つの信号線で接続され前記２つの信号線間の電位差に応じて緊急発信処理を制御する制御部を備え、
前記緊急通報発信釦の基準電位側の端子は、前記制御部の基準電位側の端子との区間では前記制御部の基準電位側の端子のみに接続することを特徴とする緊急通報システム端末装置。
【請求項２】
車両に搭載されセンターに対して緊急発信を行う緊急通報システム端末装置であって、
緊急通報発信釦に対して２つの信号線で接続され前記２つの信号線間の電位差に応じて緊急発信処理を制御する制御部を備え、
前記制御部の基準電位側の端子は、プルアップされていることを特徴とする緊急通報システム端末装置。
【請求項３】
車両に搭載されセンターに対して緊急発信を行う緊急通報システム端末装置であって、
緊急通報発信釦に対して２つの信号線で接続され前記２つの信号線間の電位差に応じて緊急発信処理を制御する制御部を備え、
前記制御部の基準電位側の端子は、自装置に筐体接続されていることを特徴とする緊急通報システム端末装置。
【請求項４】
前記制御部が、前記２本の信号線のうち、どちらかの１本の信号線が断線した場合に、断線による開放、もしくはショートによる断線のどちらかの状態として判断することを特徴とする請求項１ないし請求項３の何れかに記載の緊急通報システム端末装置。
【請求項５】
前記制御部が、断線による開放状態、スイッチが押下されていない通常状態、スイッチが押下されている動作状態、ショートによる断線状態を示す信号を、前記２本の信号線の"Ｈ"信号と"Ｌ"信号を用いて４通りの信号により、識別することを特徴とする請求項１ないし請求項３の何れかに記載の緊急通報システム端末装置。
【請求項６】
請求項１ないし請求項５の何れかに記載の緊急通報システム端末装置とこの緊急通報システム端末装置からの緊急発信を処理するセンターとを備える緊急通報システム。
【発明の詳細な説明】
【０００１】
【発明の属する技術分野】
本発明は、自動車などの車両に搭載されて、交通事故、急病などの緊急時に、警察、緊急通報センターなど緊急通報システムを管轄するセンターに、現在の車両の位置情報、登録車両などのデータを送信する緊急通報システム端末装置および緊急通報システムに関する。
【０００２】
【従来の技術】
従来より、自動車などの車両に搭載されて、警察、緊急通報センターなどの緊急通報システムを管轄するセンターに通信事業者の基地局などを経由して電話発信処理を行う緊急通報連絡手段を備えた緊急通報システム端末装置が知られている。前記緊急通報システム端末装置は、緊急事態発生時に、緊急通報発信釦を押下して手動により発信処理を行う場合と、エアバッグセンサや衝突センサなどのセンサ部からの信号入力により自動的に発信処理が行われる場合とがある。
【０００３】
また、緊急通報発信釦は、スイッチ未押下、スイッチ押下時の判別だけでなく、開放により断線した場合、ショートにより短絡した場合を検出する機能を有するものがあり、従来においては、緊急通報発信釦のＧＮＤ線は車両のボデーに接続され、緊急通報システム端末装置へは、１本の信号線によりステータス情報を伝達していた。
【０００４】
【発明が解決しようとする課題】
しかしながら、車両には、多くの電装機器が搭載されており、それらの電装機器が電源供給などにより車両のボデーＧＮＤを使用する場合、車両のボデーの各々の地点に多少の電位差を有する場合がある。一方、前記緊急通報発信釦は、断線による開放状態、スイッチが押下されていない通常状態、スイッチが押下されている動作状態、ショートによる断線状態の４つの信号を、電位差別に緊急通報システム端末装置に出力しており、前記緊急通報発信釦と、緊急通報システム端末装置の基準となるＧＮＤ信号に電位差が生じた場合、前記ＧＮＤ信号を基準とするステータス信号電位に誤差が生じ、誤認識の原因となる問題点を有していた。
【０００５】
本発明は、このような従来の技術における課題を解決するものであり、緊急通報発信釦の状態を正確に判断することのできる緊急通報システム端末装置および緊急通報システムを提供するものである。
【０００６】
【課題を解決するための手段】
本発明の緊急通報システム端末装置は、車両に搭載されて、緊急通報発信釦押下により、緊急通報システムを管轄するセンターに自動的に緊急発信を行う制御部を備え、前記緊急通報発信釦からの緊急通報システム端末装置への信号線を２本で構成し、前記制御部が前記２本の信号線から入力する信号の電位差を認識することにより前記緊急通報発信釦の状態を認識することを特徴とした構成を有している。この構成により、１本を基準電位に使用し、別の１本をステータス信号に用いることにより、緊急通報発信釦の状態を、緊急通報システム端末装置に確実に出力することができることとなる。
【０００７】
また、本発明の緊急通報システム端末装置は、前記制御部が、前記緊急通報発信釦の状態のうち、断線による開放状態、スイッチが押下されていない通常状態、スイッチが押下されている動作状態、ショートによる断線状態を、前記２本の信号線から入力する信号の電位差により識別することを特徴とした構成を有している。この構成により、前記２本の信号の電位差を使用するため、外来ノイズなどに影響されることなく、緊急通報発信釦の４ステータスを正確に把握することができることとなる。
【０００８】
また、本発明の緊急通報システム端末装置は、前記制御部が、前記断線による開放状態、スイッチが押下されていない通常状態、スイッチが押下されている動作状態、ショートによる断線状態を示す信号を、前記２本の信号線の“Ｈ”信号と“Ｌ”信号を用いて４通りの信号により、識別することを特徴とした構成を有している。この構成により、“Ｈ”“Ｌ”のディジタル信号を用いるため、緊急通報発信釦の４ステータスを正確に把握することができることとなる。
【０００９】
また、本発明の緊急通報システム端末装置は、前記制御部が、前記２本の信号線のうち、どちらかの１本の信号線が断線した場合に、断線による開放、もしくはショートによる断線のどちらかの状態として判断することを特徴とした構成を有している。この構成により、通常状態、もしくは押下状態以外の機器の異常を示す状態に判別することによって、緊急通報発信釦の異常状態を正確に判断することが可能になる。
【００１０】
また、本発明の緊急通報システム端末装置は、前記緊急通報発信釦が有するスイッチからの信号を、前記緊急通報システム端末装置の制御部に入力すると共に、前記緊急通報システム端末装置の内部で第１の抵抗を介してプルアップし、さらに前記スイッチに並列に第２の抵抗を接続し、さらに前記スイッチの別の一端を第３の抵抗を介して前記制御部に接続することを特徴とした構成を有している。この構成により、通常状態、もしくは押下状態以外の機器の異常を示す状態に判別することによって、緊急通報発信釦の異常状態を正確に判断することができることとなる。
【００１１】
また、本発明の緊急通報システム端末装置は、前記緊急通報発信釦が有するスイッチからの信号を、緊急通報システム端末装置の制御部に入力すると共に、前記緊急通報システム端末装置の内部で第１の抵抗を介してプルアップし、さらに前記スイッチの別の一端に直列に第３の抵抗を接続し、前記スイッチと前記第３の抵抗の直列回路にさらに第２の抵抗を並列接続し、前記第２の抵抗と前記第３の抵抗の接続部を前記制御部に接続することを特徴とした構成を有している。この構成により、通常状態、もしくは押下状態以外の機器の異常を示す状態に判別することによって、緊急通報発信釦の異常状態を正確に判断することができることとなる。
【００１２】
また、本発明は、上記したいずれかに記載の緊急通報システム端末装置と、前記緊急通報システム端末装置から緊急通報発信信号を受信する機能を備えたセンターとを含む緊急通報システムであり、ｌ本を基準電位に使用し、別の１本をステータス信号に用いるか、もしくは２信号の“Ｈ／Ｌ”により４通りのステータス信号を生成するなどにより、緊急通報発信釦の状態を、緊急通報システム端末装置に確実に出力することが可能になり、適切な緊急通報処理を実現できることとなる。
【００１３】
【発明の実施の形態】
（実施の形態１）
図１は本発明の実施の形態１における緊急通報システム端末装置の構成を示すブロック図である。緊急通報システム端末装置１は、自動車などの車両に搭載されて、交通事故、急病などの緊急時に、警察、緊急通報センターなどの緊急通報システムを管轄するセンターに、通信アンテナ２を通じて現在の車両の位置情報、登録車両などのデータを送信して車両出動要請を行うものである。緊急通報発信釦３は、押下されていない通常状態、押下状態、開放断線による異常状態、短絡断線による異常状態を識別することができるものであり、利用者が交通事故、急病などの緊急時に押下し、発信処理を開始するための信号、短絡断線異常、開放断線異常などの信号を生成する。また、ＧＰＳアンテナ４は、ＧＰＳ衛星からのデータを受信する。
【００１４】
緊急通報システム端末装置１において、緊急通報連絡手段１１は、制御部１２からの発信要求信号に対し、制御部１２から入力した電話番号により、通信事業者の基地局などを経由してその電話番号に該当する通話相手に電話発信処理を開始すると共に、通話相手からの発信応答、もしくは通話中信号などの通話中に移行する信号を受信した場合、音声通話制御、もしくはデータ通信制御に移行すると共に、通話中に移行したことを知らせる信号を制御部１２に出力し、さらに、制御部１２から入力した、車両の進行方向、向きなどの情報、および位置情報などのデータを、通信事業者の基地局などを経由してその電話番号に該当する通話相手である警察、緊急通報センターなどの緊急通報システムを管轄するセンターに発信する処理を行う。
【００１５】
制御部１２は、位置情報取得処理部ｌ４より取得した位置情報などのデータを記憶部１５に記録する制御を行うと共に、緊急通報発信釦３からの操作信号により緊急通報要求があったことを認識し、緊急通報連絡処理を開始するために、位置情報取得処理部１４より入手し、記憶部１５などに蓄積した位置情報履歴などのデータを入力し、さらに、記憶部１５から、警察、緊急通報センターなどの緊急通報システムを管轄するセンターの電話番号を取得すると共に、その電話番号を用いて緊急通報連絡手段１１に電話の発信要求を行い、さらに、緊急通報連絡手段１ｌから、その電話番号に該当する通話相手からの発信応答、もしくは通話中信号などの通話中に移行する信号を受信した場合、通話状態に移行したと認識し、位置情報取得処理部１４から入手した位置情報履歴データを通信事業者の基地局などを経由して当該電話番号に対応する通話相手である警察、緊急通報センターなどの緊急通報システムを管轄するセンターに発信するための信号を緊急通報連絡手段１１に出力する処理を行う。また、制御部ｌ２は、前記緊急通報発信釦３からの２本の信号により、前記緊急通報発信釦３の状態を正確に判断し、各ステータスに応じた処理に移行する。
【００１６】
ジャイロセンサ１３は、車両の進行方向、向きなどの情報を生成する。位置惰報取得処理部１４は、制御部１２に対し、ジャイロセンサ１３からのデータ、ＧＰＳ受信機１６がＧＰＳアンテナ４から受信したデータなどにより生成した位置情報などのデータを制御部１２に出力する。記憶部１５は、警察、緊急通報センターなどの緊急通報システムを管轄するセンターの電話番号、および緊急通報システム端末装置１を搭載する車両の登録ナンバー、位置情報取得処理部１４で生成した位置情報などの情報を格納すると共に、制御部１２からの要求信号により記録したデータを出力する処理を行う。ＧＰＳ受信機１６は、ＧＰＳアンテナ４から入手したデータにより、位置情報などのデータを位置情報取得処理部１４に出力する処理を行う。
【００１７】
次に、本発明の実施の形態１の動作について説明する。図ｌにおいて、位置情報取得処理部１４は、ジャイロセンサ１３からのデータ、ＧＰＳ受信機１６がＧＰＳアンテナ４から受信したデータなどにより位置情報データを生成する。制御部１２は、位置情報取得処理部１４より定期的に位置情報などのデータを取得し、制御部１５に記録する処理を行う。
【００１８】
利用者は、交通事故、急病などの緊急時に緊急通報発信釦３を押下する。緊急通報発信釦３は、利用者の押下により、押下されたことを示す信号を制御部１２に出力する。制御部１２は、緊急通報発信釦３からの操作信号により緊急通報発信要求があったことを認識し、緊急通報処理を開始する。制御部１２は、記憶部ｌ５から蓄積した位置情報などのデータ、および警察、緊急通報センターなどの緊急通報システムを管轄するセンターの電話番号を取得すると共に、その電話番号を用いて緊急通報連絡手段１１に電話の発信要求を行う。緊急通報連絡手段ｌ１は、通信アンテナ２を用いて、通信事業者の基地局などを経由してその電話番号に該当する通話相手に電話発信処理を開始する。緊急通報連絡手段１ｌは、通話相手からの発信応答、もしくは通話中信号などの通話中に移行する信号を受信した場合、通話状態に移行したと認識し、音声通話制御、もしくはデータ通信制御に移行すると共に、通話中に移行したことを知らせる信号を、制御部ｌ２に出力する。制御部１２は、通話に成功したと判断し、位置情報などのデータを通信事業者の基地局などを経由して当該電話番号に対応する通話相手である警察、緊急通報センターなど緊急通報システムを管轄するセンターに発信する処理を行う。
【００１９】
また制御部１２は、緊急通報発信釦３からの２本の信号線により、前記緊急通報発信釦３の状態を把握する。前記緊急通報発信釦３のスイッチが押下されていない通常状態時は通常状態を示す信号を入力し、押下された場合は押下されたことを示す信号を入力し、開放断線時は開放断線したことを示す信号、短絡断線時は短絡断線したことを示す信号を入力する。制御部１２は、押下されたことを示す信号を入力した場合、緊急通報連絡処理に移行し、開放断線、短絡断線時は、短絡、開放などの異常状態が発生したことを認識し、インジケータなどにより利用者に異常を通知するなどの処理を行う。
【００２０】
（実施の形態２）
次に、上記実施の形態１における緊急通報発信釦３の構成および制御部１２が緊急通報発信釦３の状態を正確に判断するアリゴリズムについて、詳細に説明する。図２は緊急通報発信釦３と、制御部１２の詳細を示す回路図である。図２において、符号１２は図１における制御部１２と同様の制御部であり、３ｌは緊急通報発信釦３に内蔵する常開スイッチである。第１の抵抗Ｒ１は、緊急通報システム端末装置１内に設けられ、一端は電圧Ｖによりプルアップされており、別の一端はマイコンである制御部１２内部のＡＤコンバータに接続されている。さらに第１の抵抗Ｒ１の別の一端は、導線Ａを用いて緊急通報発信釦３のスイッチ３１の一端に接続されている。スイッチ３１には、第２の抵抗Ｒ２が並列に接続されており、スイッチ３１を押下することにより、抵抗Ｒ２は短絡状態に移行する。前記抵抗Ｒ２の別の一端は、第３の抵抗Ｒ３に接続されており、この抵抗Ｒ３の別の一端（緊急通報発信釦の基準電位側の端子に相当）は、導線Ｂを用いて制御部１２の基準ＧＮＤ（制御部の基準電位側の端子に相当）に接続されている。
【００２１】
導線Ａもしくは導線Ｂが断線した場合、制御部１２のＡＤコンバータの電位検出部は、抵抗Ｒｌを介してプルアップされている状態に移行するため、電圧Ｖを検出する。スイッチ３ｌが押下されていない通常状態の場合、制御部１２は、電圧｛(R2+R3)/(R1+R2+R3)｝Ｖを検出する。スイッチ３１が押下された動作状態の場合、制御部１２は、電圧｛R1/(R1+R3)｝Ｖを検出する。導線Ａがショートによる短絡状態の場合、制御部ｌ２は０Ｖを検出する。導線Ｂがショートによる短絡状態の場合、制御部１２は基準ＧＮＤと同一の電位に移行するため、正常状態を維持する。
【００２２】
緊急通報発信釦３の基準ＧＮＤと制御部ｌ２の基準ＧＮＤは、導線Ｂにより接続されているため、同一の電位を維持する。そのため、導線Ａの信号は、導線Ｂの信号を基準とした信号を有するため、制御部ｌ２により、緊急通報発信釦３の状態を正確に判断することが可能になる。
【００２３】
（実施の形態３）
図３は緊急通報発信釦３と制御部ｌ２の詳細を示す別の回路図である。図３において、符号１２は図ｌにおける制御部ｌ２と同様の制御部であり、３１は緊急通報発信釦３に内蔵する常開スイッチである。第１の抵抗Ｒ１は、緊急通報システム端末装置１内に設けられ、一端は電圧Ｖによりプルアップされており、別の一端はマイコンである制御部１２内のＡＤコンバータに接続されている。さらに抵抗Ｒｌの別の一端は、導線Ａを用いて第２の抵抗Ｒ２およびスイッチ３１の一端に接続されている。スイッチ３１の別の一端は、第３の抵抗Ｒ３の一端に接続し、さらに抵抗Ｒ３の別の一端、および抵抗Ｒ２の別の一端は導線Ｂを用いて制御部１２の基準ＧＮＤに接続されている。
【００２４】
導線Ａもしくは導線Ｂが断線した場合、制御部１２のＡＤコンバータの電位検出部は、抵抗Ｒｌを介してプルアップされている状態に移行するため、電圧Ｖを検出する。スイッチ３ｌが押下されていない通常状態の場合、制御部１２の電位検出部は、電圧｛R2/(R1+R2)｝Ｖを検出する。スイッチ３１が押下された動作状態の場合、制御部１２は、電圧〔｛(R2*R3)/(R2+R3) ｝/ ｛R1+(R2*R3)/(R2+R3)｝〕Ｖを検出する。導線Ａがショートによる短絡状態の場合、制御部１２は０Ｖを検出する。導線Ｂがショートによる短絡状態の場合、制御部ｌ２は基準ＧＮＤと同一の電位に移行するため、正常状態を維持する。
【００２５】
上記実施の形態２と同様に、緊急通報発信釦３の基準ＧＮＤと制御部１２の基準ＧＮＤは、導線Ｂにより接続されているため、同一の電位を維持する。そのため、導線Ａの信号は、導線Ｂの信号を基準とした信号を有するため、制御部１２により、緊急通報発信釦３の状態を正確に判断することが可能になる。
【００２６】
（実施の形態４）
図４は緊急通報発信釦３と制御部１２の詳細を示す別の回路図である。本実施の形態４が実施の形態２と異なる点は、信号線Ｂを、緊急通報発信釦３側で車両のボディーＧＮＤに接続していること、および信号線Ｂを緊急通報システム端末装置ｌ側で第４の抵抗Ｒ４によりプルアツプしている点であり、それ以外の構成は、実施の形態２と同様である。
【００２７】
緊急通報発信釦３のボディーＧＮＤの電位をＶGND とし、制御部１２において、緊急通報発信釦３のステータスの認識を、導線Ａと導線Ｂの差分で判別すると、導線Ａが断線した場合、マイコンである制御部１２のＡＤコンバータ１２１の電位検出部は、抵抗Ｒ１を介してプルアップされている状態に移行するため、電圧Ｖ−ＶGND を検出する。スイッチ３１が押下されていない通常状態の場合、制御部１２の電位検出部は、電圧｛(R2+R3)/(R1+R2+R3)｝Ｖ―ＶGND を検出する。スイッチ３ｌが押下された動作状態の場合、制御部１２は、電圧｛R1/(R1+R3)｝Ｖ−ＶGND を検出する。導線Ａがショートによる短絡状態の場合、制御部１２は０Ｖを検出する。導線Ｂがショートによる短絡状態の場合、制御部ｌ２は基準ＧＮＤと同一の電位に移行するため、正常状態を維持する。さらに導線Ｂの電位を単独で監視することにより、断線による開放状態に移行した場合、導線Ｂ側の電位はＶになるため、開放状態に移行したことを認識することが可能になる。
【００２８】
実施の形態２同様に、緊急通報発信釦３の基準ＧＮＤと、制御部１２の基準ＧＮＤは、導線Ｂにより接続されているため、同一の電位を維持する。そのため、導線Ａの信号は、導線Ｂの信号を基準とした信号を有するため、制御部ｌ２により、前記緊急通報発信釦３の状態を正確に判断することが可能になる。
【００２９】
（実施の形態５）
図５は緊急通報発信釦３と制御部１２の詳細を示す回路図である。本実施の形態５が実施の形態４と異なる点は、信号線Ａおよび信号線Ｂを、オペアンプなどの差動増幅器１７に入力した後、その出力である２本の信号線Ａ、Ｂの電位差をマイコンである制御部１２のＡＤコンバータに入力する構成をとる点、および導線Ｂを緊急通報システム端末装置１側でＧＮＤに接続している点であり、それ以外の構成は、実施の形態４と同様である。
【００３０】
導線Ａもしくは導線Ｂが断線した場合、制御部１２のＡＤコンバータの電位検出部は、抵抗Ｒ１を介してプルアップされている状態に移行するため、電圧Ｖを検出する。スイッチ３１が押下されていない通常状態の場合、制御部１２の電位検出部は、電庄｛(R2+R3)/(R1+R2+R3)｝Ｖを検出する。スイッチ３ｌが押下された動作状態の場合、制御部１２は、電圧｛R1/(R1+R3)｝Ｖを検出する。導線Ａがショートによる短絡状態の場合、制御部１２は０Ｖを検出する。導線Ｂがショートによる短絡状態の場合、制御部１２は基準ＧＮＤと同一の電位に移行するため、正常状態を維持する。
【００３１】
本実施の形態では、緊急通報発信釦３からの信号を差動増幅器１７に入力しているため、両信号に同相に入力するノイズ成分に関しては、差勤増幅器１７で消去することができ、制御部１２により、緊急通報発信釦３の状態を正確に判断することが可能になる。
【００３２】
以上のように、本発明の実施の形態によれば、緊急通報発信釦３から緊急通報システム端末装置１への信号線を２本で構成し、前記２本の信号により緊急通報発信釦３の状態を識別するものであり、１本を基準電位に使用し、別の１本をステータス信号に用いるか、もしくは２信号の“Ｈ／Ｌ”により４通りのステータス信号を生成することにより、緊急通報発信釦３の状態を、緊急通報システム端末装置１において確実に把握することが可能になる。
【００３３】
また、本発明の実施の形態によれば、緊急通報発信釦３から緊急通報システム端末装置１への２本の信号線のうち１本を、ＧＮＤに接続することにより基準信号として使用し、別の１本を緊急通報発信釦３のステータス信号として使用することにより、緊急通報発信釦３と緊急通報システム端末装置１が共通の基準電位を用いることが可能になり、さらに別の１本により、前記基準電位に基づいた信号を生成することができ、緊急通報システム端末装置１において、緊急通報発信釦３の正確なステータスを把握することが可能になる。
【００３４】
また、本発明の実施の形態によれば、緊急通報発信釦３から緊急通報システム端末装置１への２本の信号線のうち１本を、緊急通報システム端末装置１に有するマイコンのアナログ基準ＧＮＤに入力し、別の１本を前記マイコンのＡＤコンバータに入力することにより、マイコンのＡＤコンバータのみを使用して、前記基準電位に応じた信号を入力することができ、緊急通報システム端末装置１において、緊急通報発信釦３の正確なステータスを把握することが可能になる。
【００３５】
また、本発明の実施の形態によれば、緊急通報発信釦３から緊急通報システム端末装置１への２本の信号線を、緊急通報システム端末装置１に有するオペアンプなどの差動増幅器に入力し、前記差動増幅器により前記２本の信号線から入力する信号の電位差を認識することにより、差動増幅器を利用してノイズ成分を除去し、前記基準電位に応じた信号のみを入力することができ、緊急通報システム端末装置１において、緊急通報発信釦３の正確なステータスを把握することが可能になる。
【００３６】
また、本発明の実施の形態によれば、緊急通報発信釦３から緊急通報システム端末装置１への２本の信号線の各々を、制御部１２のマイコンが有するＡＤコンバータに入力し、前記ＡＤコンバータのみを使用して、前記ＡＤコンバータに入力する２信号の電位差によりステータスを把握することにより、双方の信号に有する同相のノイズ成分を除去することができ、緊急通報システム端末装置１において、緊急通報発信釦３の正確なステータスを把握することが可能になる。
【００３７】
また、本発明の実施の形態によれば、緊急通報発信釦３から緊急通報システム端末装置１への２本の信号線により、断線による開放状態、スイッチが押下されていない通常状態、スイッチが押下されている動作状態、ショートによる断線状態を示す信号を出力することにより、１本を基準電位として使用することができ、緊急通報発信釦３の４つのステータスを正確に把握することが可能になる。
【００３８】
また、本発明の実施の形態によれば、緊急通報発信釦３から緊急通報システム端末装置１への２本の信号線により、断線による開放状態、スイッチが押下されていない通常状態、スイッチが押下されている動作状態、ショートによる断線状態を出力する場合、前記２本の電位差により識別可能な信号を用いることにより、外来ノイズなどに影響されることなく、緊急通報発信釦３の４ステータスを正確に把握することが可能になる。
【００３９】
また、本発明の実施の形態によれば、緊急通報発信釦３から緊急通報システム端末装置１への２本の信号線により、断線による開放状態、スイッチが押下されていない通常状態、スイッチが押下されている動作状態、ショートによる断線状態を出力する場合、１本を基準電位とし、別の１本の電位差を可変することにより、前記基準電位に依存した緊急通報発信釦３の４つのステータスを正確に把握することが可能になる。
【００４０】
また、本発明の実施の形態によれば、緊急通報発信釦３から緊急通報システム端末装置１への２本の信号線により、断線による開放状態、スイッチが押下されていない通常状態、スイッチが押下されている動作状態、ショートによる断線状態を出力する場合、前記２本の信号線の“Ｈ”信号と、“Ｌ”信号を用いて４通りの信号を生成して識別することにより、“Ｈ”“Ｌ”のディジタル信号を用いることができ、緊急通報発信釦３の４つのステータスを正確に把握することが可能になる。
【００４１】
また、本発明の実施の形態によれば、緊急通報発信釦３から緊急通報システム端末装置１への２本の信号線のうち、どちらかの１本の信号線が断線した場合に、断線による開放、もしくはショートによる断線のどちらかの状態に判断することにより、スイッチが押下されていない通常状態、もしくはスイッチが押下された動作状態以外の機器の異常を判別することができ、緊急通報発信釦３の異常状態を正確に判断することが可能になる。
【００４２】
また、本発明の実施の形態によれば、緊急通報発信釦３から緊急通報システム端末装置１への２本の信号線のうち、ステータス信号を出力する側の信号線が断線した場合に、断線による開放状態に判断することにより、信号線が断線した場合に、緊急通報発信釦３からの信号の異常を把握することが可能になる。
【００４３】
また、本発明の実施の形態によれば、緊急通報発信釦３から緊急通報システム端末装置１への２本の信号線のうち、基準ＧＮＤ側の信号線が断線した場合に、ショートによる断線状態に判断することにより、基準ＧＮＤ線が断線した場合に、緊急通報発信釦３からの信号の異常を把握することが可能になる。
【００４４】
【発明の効果】
以上のことから明らかなように、本発明によれは、緊急通報発信釦から緊急通報システム端末装置への信号線を２本で構成し、前記２本の信号により緊急通報発信釦の状態および基準信号を伝達することにより、緊急通報システム端末装置において、緊急通報発信釦の状態を正確に判断することが可能になる。
【図面の簡単な説明】
【図１】本発明の実施の形態１における緊急通報システム端末装置の構成を示すブロック図
【図２】本発明の実施の形態２における別の緊急通報発信釦と制御部の接続を示す回路図
【図３】本発明の実施の形態３における別の緊急通報発信釦と制御部の接続を示す回路図
【図４】本発明の実施の形態４における別の緊急通報発信釦と制御部の接続を示す回路図
【図５】本発明の実施の形態５における別の緊急通報発信釦と制御部の接続を示す回路図
【符号の説明】
１  緊急通報システム端末装置
２  通信アンテナ
３  緊急通報発信釦
４  ＧＰＳアンテナ
１１  緊急通報連絡手段
１２  制御部
１３  ジャイロセンサ
１４  位置情報取得処理部
１５  記憶部
１６  ＧＰＳ受信機
１７  差動増幅器
３１  スイッチ
Ｒ１  第１の抵抗
Ｒ２  第２の抵抗
Ｒ３  第３の抵抗
Ｒ４  第４の抵抗
Ａ  導線
Ｂ  導線
【図１】
0003871830.tif 000002
【図２】
0003871830.tif 000003
【図３】
0003871830.tif 000004
【図４】
0003871830.tif 000005
【図５】
0003871830.tif 000006